(57)【要約】【課題】開閉ドアが回動して開放位置に近づくほど開環状の軸受部が支軸から外れ易くなる開閉ドアの取付構造を提供する。【解決手段】筐体の開閉ドアを取付けるべき箇所に支軸４を設け、開閉ドア３の裏面側に設けた開環状の軸受部５を上記支軸４に外嵌着して、開閉ドア３を閉鎖位置と開放位置との間で回動自在に取付けた開閉ドアの取付構造において、開閉ドア３を開放位置に向かって回動させたときに開環状の軸受部５を弾性的に拡開させる軸受部拡開手段として、軸受部５の片側の弧状片５ｂが乗り上げる凸部６を支軸４に形成した構成とする。開閉ドア３が開放位置に近づくと、凸部６への弧状片５ｂの乗り上げによって軸受部５が弾性的に拡開するため、支軸４から開閉ドア３が外れ易くなる。【選択図】図４
2007180169.tif 000002
【特許請求の範囲】
【請求項１】
筐体の開閉ドアを取付けるべき箇所に支軸を設け、開閉ドアの裏面側に設けた開環状の軸受部を上記支軸に外嵌着して、開閉ドアを閉鎖位置と開放位置との間で回動自在に取付けた開閉ドアの取付構造において、
上記開閉ドアの裏面からアームを突設してその先端に上記軸受部を形成し、上記開閉ドアを開放位置に向かって回動させたときに上記開環状の軸受部を弾性的に拡開させる軸受部拡開手段として、上記軸受部の片側の弧状片が乗り上げる凸部を上記支軸に形成すると共に、この凸部の上記弧状片が乗り上げる側面を上記支軸の外周面の接線方向に延設したことを特徴とする開閉ドアの取付構造。
【請求項２】
筐体の開閉ドアを取付けるべき箇所に支軸を設け、開閉ドアの裏面側に設けた開環状の軸受部を上記支軸に外嵌着して、開閉ドアを閉鎖位置と開放位置との間で回動自在に取付けた開閉ドアの取付構造において、
上記開閉ドアを開放位置に向かって回動させたときに上記開環状の軸受部を弾性的に拡開させる軸受部拡開手段を設けたことを特徴とする開閉ドアの取付構造。
【請求項３】
上記軸受部拡開手段として、上記開閉ドアを開放位置に向かって回動させたときに上記軸受部の片側の弧状片が乗り上げる凸部を上記支軸に形成したことを特徴とする請求項２に記載の開閉ドアの取付構造。
【請求項４】
上記凸部の弧状片が乗り上げる側面を上記支軸の外周面から接線方向に延設したことを特徴とする請求項３に記載の開閉ドアの取付構造。
【発明の詳細な説明】
【技術分野】
【０００１】
本発明はＡＶ機器等の筐体における開閉ドアの取付構造に関し、更に詳しくは、開閉ドアが回動して開放位置に近づくほど開閉ドアの軸受部が支軸から外れ易くなるように改良した開閉ドアの取付構造に関する。
【背景技術】
【０００２】
ＡＶ機器等の筐体における開閉ドアの取付構造として、筐体の開閉ドアを取付けるべき箇所に左右一対の支軸を対向させて同軸的に設け、開閉ドアに設けた左右一対の開環状の軸受部を上記の支軸に外嵌着して、開閉ドアを閉鎖位置と開放位置との間で回動自在となるように取付けたものが知られている（特許文献１，２）。
【０００３】
また、開閉ドアの湾曲下端部と左右両端の爪片とで開環状の軸受部を構成し、この軸受部を筐体の上記支軸に外嵌着して、同様に開閉ドアを回動自在に取付けたものも知られている（特許文献３）。
【０００４】
これらの取付構造は、開閉ドアを閉鎖位置から開放位置まで回動させると、開閉ドアの一部が筐体の一部に当接して開放位置で停止し、開閉ドアがそれ以上開方向へ回動しないように構成されている。
【特許文献１】特開平５−３３２０６１号公報
【特許文献２】特開平９−１３９５８３号公報
【特許文献３】特開平５−２４３７５０号公報
【発明の開示】
【発明が解決しようとする課題】
【０００５】
しかしながら、上記特許文献に記載された開閉ドアの取付構造はいずれも、開閉ドアを開放位置に向かって回動させたときに開環状の軸受部が弾性的に拡開するように構成されていないため、開環状の軸受部による支軸握持力は一定しており、開閉ドアが開放位置まで回動して開閉ドアの一部が筐体の一部に当接した状態でも、開環状の軸受部が支軸から簡単に外れないようになっている。そのため開閉ドアを開放位置から更に開方向に回動させる外力が開閉ドアに作用すると、開環状の軸受部が支軸から外れるまで、開閉ドアと筐体との当接部分に大きい負荷がかかり、当接部分の損傷等を招く恐れがあった。
【０００６】
特に、開閉ドアの軸受部の付根部分を筐体の一部に当接させて開閉ドアを開放位置で停止させるように構成した取付構造の場合は、開閉ドアを更に開方向に回動させる外力が作用すると軸受部の付根部分に負荷が集中し、軸受部が破損したり、付根部分に白化が生じたりするので、これを無視することは到底できない。
【０００７】
上記の問題は、例えば、開環状の軸受部を薄肉化して弾性的に拡開しやすくしたり、軸受部先端の開放寸法を大きくすることによって、開環状の軸受部が支軸から容易に外れるようにすれば、ある程度の解決は可能である。けれども、このような手段で軸受部を支軸から外れ易くする場合は、軸受部の肉厚や開放寸法を適正に調整することが容易でなく、肉厚が薄すぎたり開放寸法が大きすぎたりすると、開環状の軸受部による支軸握持力が必要以上に低下し、開閉操作中に軸受部が支軸から簡単に外れて開閉ドアが脱落するといった不都合を生じるので、満足な解決策とは言えない。
【０００８】
本発明は上記事情の下になされたもので、開閉ドアが回動しながら開放位置に近づくと開環状の軸受部が支軸から外れ易くなるため、開閉ドアを開放位置から更に開方向に回動させる外力が作用したときでも、開閉ドアと筐体との当接部分に大きい負荷がかからないうちに開閉ドアが簡単に離脱して当接部分の破損や白化を防止することができる開閉ドアの取付構造を提供することを解決課題としている。
【課題を解決するための手段】
【０００９】
上記の課題を解決するため、本発明に係る開閉ドアの取付構造は、筐体の開閉ドアを取付けるべき箇所に支軸を設け、開閉ドアの裏面側に設けた開環状の軸受部を上記支軸に外嵌着して、開閉ドアを閉鎖位置と開放位置との間で回動自在に取付けた開閉ドアの取付構造において、上記開閉ドアを開放位置に向かって回動させたときに上記開環状の軸受部を弾性的に拡開させる軸受部拡開手段を設けたことを特徴とするものである。
【００１０】
本発明の取付構造においては、上記の軸受部拡開手段として、開閉ドアを開放位置に向かって回動させたときに軸受部の片側の弧状片が乗り上げる凸部を支軸に形成することが好ましく、更に、この凸部の弧状片が乗り上げる側面を支軸の外周面から接線方向に延設することが好ましい。
【００１１】
そして、本発明の一層具体化された好ましい取付構造は、筐体の開閉ドアを取付けるべき箇所に支軸を設け、開閉ドアの裏面側に設けた開環状の軸受部を上記支軸に外嵌着して、開閉ドアを閉鎖位置と開放位置との間で回動自在に取付けた開閉ドアの取付構造において、上記開閉ドアの裏面からアームを突設してその先端に上記軸受部を形成し、上記開閉ドアを開放位置に向かって回動させたときに上記開環状の軸受部を弾性的に拡開させる軸受部拡開手段として、上記軸受部の片側の弧状片が乗り上げる凸部を上記支軸に形成すると共に、この凸部の上記弧状片が乗り上げる側面を上記支軸の外周面の接線方向に延設したことを特徴とするものである。
【発明の効果】
【００１２】
本発明に係る開閉ドアの取付構造では、開閉ドアを閉鎖位置から開放位置に向かって回動させていくと、開環状の軸受部が軸受部拡開手段により弾性的に拡開されて徐々に支軸から外れ易くなり、開閉ドアが開放位置まで回動して開閉ドアの一部が筐体の一部に当接したときには、軸受部が大きく拡開して極めて外れ易い状態になっている。そのため、開閉ドアを開放位置から更に開方向に回動させる外力が開閉ドアに作用しても、開閉ドアと筐体との当接部分に負荷が殆どかからないうちに開閉ドアが簡単に離脱するので、当接部分の破損や白化を防止することができる。
【００１３】
特に、軸受部拡開手段として前記の凸部を支軸に形成したものは、開閉ドアの回動に伴って軸受部の片側の弧状片が凸部に乗り上げながら容易且つ確実に拡開して外れ易くなり、しかも、軸受部が支軸から外れるときには、凸部に乗り上げた軸受部の弧状片がその弾性復元力により凸部を滑降して離脱方向に付勢されるため、軸受部の支軸からの離脱が一層容易になる。そして、支軸外周面における凸部の形成位置やその高さを変更すれば、軸受部の拡開を始めるタイミングや軸受部先端の拡開寸法を簡単に調整することもできる。
【００１４】
更に、軸受部の弧状片が乗り上げる凸部の側面を支軸の外周面から接線方向に延設したものは、開閉ドアの回動に伴って軸受部の弧状片が支軸の外周面から凸部の側面へ何の抵抗もなくスムーズに乗り上げ、乗り上げの際に弧状片が引っ掛かることがないので、開閉ドア本来の滑らかな開閉動作を損なう心配もない。
【発明を実施するための最良の形態】
【００１５】
以下、図面を参照して、本発明に係る開閉ドアの取付構造の具体的な実施形態を詳述する。
【００１６】
図１は本発明の一実施形態に係る開閉ドアの取付構造を示す正面図、図２は同取付構造の分解斜視図、図３は図２のＡ−Ａ線拡大断面図、図４は図３において開閉ドアを開いた状態を示す拡大断面図である。また、図５〜図７はいずれも開閉ドアと支軸を更に拡大した断面図であって、図５は開閉ドアが閉じた状態を、図６は開閉ドアが途中まで開いた状態を、図７は開閉ドアが完全に開いた状態を示している。
【００１７】
本実施形態は、図１，図２に示すように、ＤＶＤレコーダー、ＤＶＤプレーヤーその他のＡＶ機器の筐体のフロントパネル１において、ジャック等を装着する凹所２に開閉ドア３を取付ける場合を例示したものである。
【００１８】
筐体のフロントパネル１は熱可塑性合成樹脂で射出成形されたものであり、このフロントパネル１の一方の端部には、図２に示すように、ジャック（不図示）等を装着する複数の穴２ａを奥板部２ｂに設けた長方形の凹所２が形成されている。そして、この凹所２の左右両端の底部には、左右一対の固定された支軸４，４が相対向して同軸的に形成されている。
【００１９】
上記の凹所２を覆う長方形の開閉ドア３は、フロントパネル１と同じ熱可塑性合成樹脂で射出成形されたものであって、その裏面の左右両端部から左右一対のアーム３ａ，３ａが斜め下方に突設されており、このアーム３ａ，３ａの先端に軸受部５，５が形成されている。この軸受部５は、図５に拡大して示すように、支軸４を両側から握持する弧状片５ａ，５ｂを備えた開環状の軸受部であって、双方の弧状片５ａ，５ｂが弾性的に容易に拡開できるように、弧状片５ａ，５ｂの間に割溝５ｃが形成されている。
【００２０】
図２に示すように、この開閉ドア３の左側端には、上記凹所２の左側端の開放部分を覆う側板部３ｂが形成されており、開閉ドア３と側板部３ｂとのコーナー部には、フロントパネル１のコーナー部のアールに等しいアールが形成されている。そして、この側板部３ｂの下端には、後述するように開閉ドア３を開放位置まで回動させたときに開閉ドア３を停止させるストッパー３ｃが形成されており、このストッパー３ｃを受けるストッパー受部１ａがフロントパネル１の側面下部に形成されている。また、この開閉ドア３の裏面にはストライカー３ｄが突設されており、これに対応して、凹所２の奥板部２ｂには、開閉ドア３ａを閉じたときに該ストライカー３ｄが差し込まれる浮出しラッチの取付口２ｃが形成されている。
【００２１】
上記の開閉ドア３は、その開環状の軸受部５，５をフロントパネル１の凹部２の支軸４，４に前方から外嵌着することによって、図３に示すように開閉ドア３が起立して閉じた閉鎖位置と、図４に示すように開閉ドア３が水平に開いた開放位置との間で回動自在となるように取付けられている。そして、開閉ドア３が開放位置で水平に開いたときには、開閉ドア３の前記ストッパー３ｃがフロントパネル１の前記ストッパー受部１ａの下端に当接して開閉ドア３が停止すると共に、図４に示すように、フロントパネルの底板部１ｂの先端も軸受部５の付根部分に実質的に当接するように構成されている。
【００２２】
この開閉ドアの取付構造の大きい特徴は、開閉ドア３を開放位置に向かって回動させたときに開環状の軸受部５を弾性的に拡開させる軸受部拡開手段として、図７に示すように軸受部５の片側の弧状片５ｂが乗り上げる凸部６を支軸４の外周面に形成した点にある。
【００２３】
この凸部６は、図３，図５に示すように、開閉ドア３が起立した閉鎖位置にあるときに、軸受部５の双方の弧状片５ａ，５ｂの開放された先端間に位置するように支軸４の外周面に形成されており、片側の弧状片５ｂが乗り上げる凸部６の傾斜した側面６ａは、支軸４の外周面から接線方向に延設されている。そして、この凸部６の高さは、図４，図７に示すように、開閉ドア３が開放位置まで回動して水平に開いたときに、凸部６の傾斜した側面６ａに乗り上げた軸受部５の弧状片５ｂが凸部６を乗り越えない高さであって、且つ、弧状片５ｂの乗り上げにより弾性的に拡開した軸受部５の先端間の開放寸法、即ち、弧状片５ａ，５ｂの軸受内面の先端間の寸法が支軸４の直径と略同一になる高さに設定されている。
【００２４】
上記のように軸受部拡開手段として凸部６を支軸４に形成し、この支軸４に開閉ドア３の開環状の軸受部５を外嵌着して、開閉ドア３を閉鎖位置と開放位置との間で回動自在に取付けた取付構造では、開閉ドア３を図３，図５に示す閉鎖位置から開方向（図３，図５では時計回り方向）に回動させると、図６に示すように開閉ドア３が半開きになって軸受部５の弧状片５ｂの軸受内面の先端が凸部６の傾斜した側面６ａに到達するまで、軸受部５が弾性的に拡開することはない。
【００２５】
けれども、開閉ドア３を開放位置に向かって更に回動させると、軸受部５の弧状片５ｂが凸部６の傾斜した側面６ｂに乗り上げていくため、軸受部５が弾性的に徐々に拡開して支軸４から外れ易くなり、図４，図７に示すように開閉ドア３が開放位置まで回動して水平に開いたときには、軸受部５の先端間の開放寸法、即ち、弧状片５ａ，５ｂの軸受内面の先端間の寸法が支軸４の直径と略同一になるまで軸受部５が弾性的に大きく拡開して、支軸４から極めて外れ易い状態となる。そして、軸受部５が支軸４から外れるときには、凸部６に乗り上げた軸受部５の弧状片５ｂがその弾性復元力により凸部６の傾斜した側面６ａを滑降して、軸受部５が離脱方向に付勢されるため、一層簡単に外れることになる。
【００２６】
従って、開閉ドア３を図４，図７に示す開放位置から更に開方向に回動させる外力が開閉ドア３に作用した場合には、フロントパネル１の底板部１ｂの先端に当接している軸受部５の付根部分や、前記ストッパー３ｃの当接部分に負荷が殆どかからないうちに、軸受部５が支軸４から極く簡単に外れて開閉ドア３が離脱するので、軸受部５の付根部分やストッパー３ｃの当接部分に破損や白化が生じるのを防止することができる。
【００２７】
しかも、軸受部５の弧状片５ｂが乗り上げる凸部６の傾斜した側面６ａを支軸４の外周面から接線方向に延設することによって、軸受部５の弧状片５ｂが支軸４の外周面から凸部６の側面６ａへ何の抵抗もなくスムーズに乗り上げるようにし、乗り上げの際に弧状片５ｂが引掛からないようにしてあるため、開閉ドア３の本来の滑らかな開閉動作を損なうことがない。
【００２８】
上記のように、軸受部拡開手段として凸部６を支軸４に形成したものは、支軸外周面における凸部６の形成位置やその高さを変更することによって、軸受部５が拡開を始めるタイミングや、軸受部５の先端の拡開寸法を簡単に調整することができ、また、凸部６の側面６ａを曲面とすることによって、軸受部５の拡開速度（開閉ドア３の回動角度に対する軸受部５の先端の開放寸法の増加量）を下げることもできる。
【００２９】
図８は、そのように軸受部５が拡開を始めるタイミングを変更し拡開速度を下げる凸部６０が形成された支軸４と開閉ドア３を拡大して示す断面図である。
【００３０】
この支軸４に形成された凸部６０は、開閉ドア３の軸受部５の弧状片５ｂが乗り上げる側面６０ａとして、支軸１の半径よりも大きい曲率半径を有する凸曲面を形成したものであって、この凸曲した側面６０ａは、開閉ドア３が閉鎖位置にあるときの弧状片５ｂの軸受内面の先端位置に対応した支軸外周面上の地点Ｐから接線方向に延設されている。そして、この凸部６０の高さは、前記の凸部６と同様に、弧状片５ｂの乗り上げにより弾性的に拡開した軸受部５の先端間の開放寸法が支軸４の直径と略同一になる高さに設定されている。
【００３１】
軸受部拡開手段として上記のような凸部６０を支軸４の外周面に形成した場合は、開閉ドア３を図８に示す閉鎖位置から開方向（図８では時計回り方向）に回動させると、回動開始と同時に軸受部５の片側の弧状片５ｂが凸部６０の凸曲した側面６０ａに乗り上げ、開閉ドア３の回動に伴って、前記の凸部６に乗り上げる場合よりも遅い拡開速度で軸受部５が徐々に拡開していく。そして、開閉ドア３が開放位置まで回動すると、弧状片５ｂの軸受内面の先端が凸部６０の頂上付近まで到達して軸受部５が大きく拡開し、前記の凸部６に乗り上げた場合と同様に、軸受部５の先端間の開放寸法が支軸４の直径と略同一になって支軸４から極めて外れ易い状態となる。従って、この場合も、開閉ドア３を開放位置から更に開方向に回動させる外力が作用したときに、軸受部５が支軸４から極く簡単に外れて開閉ドア３が脱落するため、軸受部５の付根部分等が損傷したり白化したりすることはない。
【００３２】
以上、ＡＶ機器等の筐体のフロントパネル１においてそのジャック装着用の凹部２に開閉ドア３を取付ける実施形態を挙げて、本発明の開閉ドアの取付構造を説明したが、本発明はこの実施形態のみに限定されるものではなく、筐体の任意の箇所に開閉ドアを取付ける場合にも勿論適用されるものである。
【図面の簡単な説明】
【００３３】
【図１】本発明の一実施形態に係る開閉ドアの取付構造を示す正面図である。
【図２】同取付構造の分解斜視図である。
【図３】図１のＡ−Ａ線拡大断面図である。
【図４】図３において開閉ドアを開いた状態の拡大断面図である。
【図５】開閉ドアと支軸を更に拡大した断面図であって、開閉ドアが閉じた状態を示すものである。
【図６】開閉ドアと支軸を更に拡大した断面図であって、開閉ドアが途中まで開いた状態を示すものである。
【図７】開閉ドアと支軸を更に拡大した断面図であって、開閉ドアが完全に開いた状態を示すものである。
【図８】開閉ドアと形状の異なる凸部を設けた支軸を更に拡大した断面図である。
【符号の説明】
【００３４】
１    筐体のフロントパネル
２    凹部
３    開閉ドア
３ａ  アーム
４    支軸
５    開環状の軸受部
５ａ，５ｂ  弧状片
６，６０  凸部
６ａ，６０ａ  側面
【図１】
2007180169.tif 000003
【図２】
2007180169.tif 000004
【図３】
2007180169.tif 000005
【図４】
2007180169.tif 000006
【図５】
2007180169.tif 000007
【図６】
2007180169.tif 000008
【図７】
2007180169.tif 000009
【図８】
2007180169.tif 000010